(57)【要約】【課題】施工作業の工期の長期化を抑制する照明システムのペアリング方法等を提供する。【解決手段】照明コントローラ３０に予め決められた数の通信アダプタ４０が接続されておらず、接続されていない通信アダプタ４０の識別情報が不明である場合に、操作端末２０に、当該識別情報の代わりに仮の識別情報を記憶する工程と、仮の識別情報が記憶された操作端末２０を用いて、接続されていない通信アダプタ４０に対応する照明器具１０に、仮の識別情報を記憶する工程と、照明器具１０に仮の識別情報が記憶された後、照明コントローラ３０に、接続されていない通信アダプタ４０と異なる新たな通信アダプタ４０が接続された場合に、新たな通信アダプタ４０の識別情報を取得する工程と、新たな通信アダプタ４０の識別情報と仮の識別情報とを関連付けた状態で照明器具１０に入力し、当該照明器具１０と新たな通信アダプタ４０とをペアリングする工程とを含む。【選択図】図５
2018191043.tif 000002
【特許請求の範囲】
【請求項１】
複数の照明器具と、
前記複数の照明器具と通信する１以上の通信アダプタと、
前記通信アダプタを介して前記複数の照明器具の点灯を制御する照明コントローラと、
前記複数の照明器具および前記照明コントローラと通信する操作端末と
を備える照明システムにおいて、前記照明器具と前記通信アダプタとのペアリングを行う、照明システムのペアリング方法であって、
前記照明コントローラに予め決められた数の前記通信アダプタが接続されておらず、接続されていない通信アダプタの識別情報が不明である場合に、前記操作端末に、当該識別情報の代わりに仮の識別情報を記憶する工程と、
前記仮の識別情報が記憶された前記操作端末を用いて、前記接続されていない通信アダプタに対応する前記照明器具に、前記仮の識別情報を記憶する工程と、
前記照明器具に前記仮の識別情報が記憶された後、前記照明コントローラに、前記接続されていない通信アダプタと異なる新たな通信アダプタが接続された場合に、前記新たな通信アダプタの識別情報を取得する工程と、
前記新たな通信アダプタの識別情報と前記仮の識別情報とを関連付けた状態で前記照明器具に入力し、当該照明器具と前記新たな通信アダプタとをペアリングする工程と
を含む照明システムのペアリング方法。
【請求項２】
前記操作端末に前記仮の識別情報を記憶する工程の前に、
前記照明コントローラと前記通信アダプタとの通信を試みることで、前記照明コントローラに予め決められた数の前記通信アダプタが接続されているか否かを確認する確認工程を含む
請求項１に記載の照明システムのペアリング方法。
【請求項３】
前記確認工程において、前記照明コントローラと前記通信アダプタとの通信が成立しない場合に、前記通信アダプタを前記照明コントローラに接続するための初期対応事項を前記操作端末のタッチパネルに表示し、前記操作端末に前記初期対応事項が対応済みであることが入力された場合に、前記確認工程を終了する
請求項２に記載の照明システムのペアリング方法。
【請求項４】
前記確認工程と、前記操作端末に前記仮の識別情報を記憶する工程との間に、前記仮の識別情報を前記照明コントローラまたは前記操作端末にて生成する工程を含む
請求項２または３に記載の照明システムのペアリング方法。
【請求項５】
前記操作端末に前記仮の識別情報を記憶する工程において、記憶した前記仮の識別情報を前記操作端末のタッチパネルに表示し、
前記新たな通信アダプタの識別情報を取得する工程において、前記仮の識別情報に代えてまたは前記仮の識別情報に対応させて、取得した前記識別情報を前記タッチパネルに表示する
請求項１〜４のいずれか１項に記載の照明システムのペアリング方法。
【請求項６】
前記操作端末に前記仮の識別情報を記憶する工程において、
前記接続されていない通信アダプタが複数ある場合に、複数の前記通信アダプタのそれぞれに対応して、複数の異なる前記仮の識別情報を前記操作端末に記憶する
請求項１〜５のいずれか１項に記載の照明システムのペアリング方法。
【請求項７】
複数の照明器具と、
前記複数の照明器具と通信する１以上の通信アダプタと、
前記通信アダプタを介して前記複数の照明器具の点灯を制御する照明コントローラと、
前記複数の照明器具および前記照明コントローラと通信する操作端末と
を備える照明システムにおいて、前記照明器具と前記通信アダプタとのペアリングを行う、照明システムのペアリング方法であって、
前記照明器具が不具合を有し前記照明器具の識別情報が不明である場合に、前記操作端末に、前記識別情報の代わりに仮の識別情報を記憶する工程と、
前記不具合を有する照明器具に対応する前記通信アダプタに、前記仮の識別情報を記憶する工程と、
前記通信アダプタに前記仮の識別情報が記憶された後、前記不具合を有する照明器具に代えて新たな照明器具が取り付けられた場合に、前記新たな照明器具の識別情報を取得する工程と、
前記新たな照明器具の識別情報と前記仮の識別情報とを関連付けた状態で前記通信アダプタに入力し、前記新たな照明器具と前記通信アダプタとをペアリングする工程と
を含む照明システムのペアリング方法。
【請求項８】
通信アダプタを介して複数の照明器具の点灯を制御する照明コントローラであって、
前記通信アダプタが不具合を有する場合に、前記不具合を有する通信アダプタに対応する仮の識別情報を記憶し、
前記不具合を有する通信アダプタが、前記不具合を有する通信アダプタと異なる新たな通信アダプタに取り替えられた場合に、前記新たな通信アダプタから識別情報を取得し、
記憶している前記仮の識別情報を、前記新たな通信アダプタの識別情報に置き換える
照明コントローラ。
【請求項９】
通信アダプタを介して複数の照明器具の点灯を制御する照明コントローラであって、
前記照明器具が不具合を有する場合に、前記不具合を有する照明器具に対応する仮の識別情報を記憶し、
前記不具合を有する照明器具が、前記不具合を有する照明器具と異なる新たな照明器具に取り替えられた場合に、前記新たな照明器具から識別情報を取得し、
記憶している前記仮の識別情報を、前記新たな照明器具の識別情報に置き換える
照明コントローラ。
【発明の詳細な説明】
【技術分野】
【０００１】
本発明は、照明器具と通信アダプタと照明コントローラと操作端末とを備える照明システムのペアリング方法、および、照明コントローラに関する。
【背景技術】
【０００２】
従来、複数の照明器具と通信アダプタと照明コントローラと操作端末とを備える照明システムが知られている。この種の照明システムの一例として、特許文献１には、複数の照明器具のそれぞれが通信アダプタを介して照明コントローラと通信する照明システムが開示されている。複数の照明器具は、照明コントローラによってグループ分けされ、グループ単位で照明コントローラからの指令を受け、その指令に応じて、光源の点灯、消灯または調光などを行っている。
【先行技術文献】
【特許文献】
【０００３】
【特許文献１】特開２００９−２９５３９４号公報
【発明の概要】
【発明が解決しようとする課題】
【０００４】
しかしながら、特許文献１に開示されている照明システムでは、複数の照明器具および通信アダプタを建物の造営材等に設置する施工作業において、例えば、通信アダプタが故障していると、故障していない新しい通信アダプタが入荷されるまで照明器具と通信アダプタとのペアリングを行えず、施工作業の工期が長期化するという問題がある。
【０００５】
そこで、本発明は、施工作業の工期が長期化することを抑制する照明システムのペアリング方法等を提供する。
【課題を解決するための手段】
【０００６】
本発明の照明システムのペアリング方法の一態様は、複数の照明器具と、前記複数の照明器具と通信する１以上の通信アダプタと、前記通信アダプタを介して前記複数の照明器具の点灯を制御する照明コントローラと、前記複数の照明器具および前記照明コントローラと通信する操作端末とを備える照明システムにおいて、前記照明器具と前記通信アダプタとのペアリングを行う、照明システムのペアリング方法であって、前記照明コントローラに予め決められた数の前記通信アダプタが接続されておらず、接続されていない通信アダプタの識別情報が不明である場合に、前記操作端末に、当該識別情報の代わりに仮の識別情報を記憶する工程と、前記仮の識別情報が記憶された前記操作端末を用いて、前記接続されていない通信アダプタに対応する前記照明器具に、前記仮の識別情報を記憶する工程と、前記照明器具に前記仮の識別情報が記憶された後、前記照明コントローラに、前記接続されていない通信アダプタと異なる新たな通信アダプタが接続された場合に、前記新たな通信アダプタの識別情報を取得する工程と、前記新たな通信アダプタの識別情報と前記仮の識別情報とを関連付けた状態で前記照明器具に入力し、当該照明器具と前記新たな通信アダプタとをペアリングする工程とを含む。
【０００７】
本発明の照明システムのペアリング方法の一態様は、複数の照明器具と、前記複数の照明器具と通信する１以上の通信アダプタと、前記通信アダプタを介して前記複数の照明器具の点灯を制御する照明コントローラと、前記複数の照明器具および前記照明コントローラと通信する操作端末とを備える照明システムにおいて、前記照明器具と前記通信アダプタとのペアリングを行う、照明システムのペアリング方法であって、前記照明器具が不具合を有し前記照明器具の識別情報が不明である場合に、前記操作端末に、前記識別情報の代わりに仮の識別情報を記憶する工程と、前記不具合を有する照明器具に対応する前記通信アダプタに、前記仮の識別情報を記憶する工程と、前記通信アダプタに前記仮の識別情報が記憶された後、前記不具合を有する照明器具に代えて新たな照明器具が取り付けられた場合に、前記新たな照明器具の識別情報を取得する工程と、前記新たな照明器具の識別情報と前記仮の識別情報とを関連付けた状態で前記通信アダプタに入力し、前記新たな照明器具と前記通信アダプタとをペアリングする工程とを含む。
【０００８】
また、本発明の照明コントローラの一態様は、通信アダプタを介して複数の照明器具の点灯を制御する照明コントローラであって、前記通信アダプタが不具合を有する場合に、前記不具合を有する通信アダプタに対応する仮の識別情報を記憶し、前記不具合を有する通信アダプタが、前記不具合を有する通信アダプタと異なる新たな通信アダプタに取り替えられた場合に、前記新たな通信アダプタから識別情報を取得し、記憶している前記仮の識別情報を、前記新たな通信アダプタの識別情報に置き換える。
【０００９】
また、本発明の照明コントローラの一態様は、通信アダプタを介して複数の照明器具の点灯を制御する照明コントローラであって、前記照明器具が不具合を有する場合に、前記不具合を有する照明器具に対応する仮の識別情報を記憶し、前記不具合を有する照明器具が、前記不具合を有する照明器具と異なる新たな照明器具に取り替えられた場合に、前記新たな照明器具から識別情報を取得し、記憶している前記仮の識別情報を、前記新たな照明器具の識別情報に置き換える。
【発明の効果】
【００１０】
照明システムにおいて施工作業の工期が長期化することを抑制することができる。
【図面の簡単な説明】
【００１１】
【図１】実施の形態１に係る照明システムであって、照明システムが備える照明器具、照明コントローラ、通信アダプタおよび操作端末を示す概略図である。
【図２】実施の形態１に係る照明器具、照明コントローラ、通信アダプタおよび操作端末の配置の一例を示す図である。
【図３Ａ】実施の形態１に係る照明コントローラおよび通信アダプタの制御構成を示すブロック図である。
【図３Ｂ】実施の形態１に係る照明器具の制御構成を示すブロック図である。
【図３Ｃ】実施の形態１に係る操作端末の制御構成を示すブロック図である。
【図４】実施の形態１の操作端末を示す概略図である。
【図５】実施の形態１に係る照明システムのペアリング方法を示すフローチャートである。
【図６】実施の形態１において操作端末に表示される画像の一例を示す図である。
【図７】実施の形態１において不具合を有する通信アダプタを確認する様子を示す図である。
【図８】実施の形態１において操作端末に表示される画像の一例を示す図である。
【図９】実施の形態１において通信アダプタの識別情報を取得する様子を示す図である。
【図１０】実施の形態１において操作端末に表示される画像の一例を示す図である。
【図１１】実施の形態１のペアリングの途中経過において、照明コントローラまたは操作端末に記憶されるアドレステーブルを示す図である。
【図１２】実施の形態１において照明器具に仮の識別情報を記憶する様子を示す図である。
【図１３】実施の形態１において操作端末に表示される画像の一例を示す図である。
【図１４】実施の形態１のペアリングの途中経過おいて、照明器具に記憶されるペアリングテーブルを示す図である。
【図１５】実施の形態１において不具合を有する通信アダプタを新たな通信アダプタに交換する様子を示す図である。
【図１６】実施の形態１において操作端末に表示される画像の一例を示す図である。
【図１７Ａ】実施の形態１のペアリング終了時において、照明コントローラまたは操作端末に記憶されるアドレステーブルを示す図である。
【図１７Ｂ】実施の形態１のペアリング終了時において、照明器具に記憶されるペアリングテーブルを示す図である。
【図１８】実施の形態２において不具合時の初期対応事項を示す図である。
【図１９】実施の形態３における照明システムのペアリング方法を示すフローチャートである。
【図２０】実施の形態３において操作端末に表示される画像の一例を示す図である。
【図２１】実施の形態３のペアリング終了時において、照明コントローラまたは操作端末に記憶されるアドレステーブルを示す図である。
【発明を実施するための形態】
【００１２】
本実施の形態に係る照明システムは、複数の照明器具と、１以上の通信アダプタと、照明コントローラと、操作端末とを備える。照明システムを建物の造営材等に設置する施工作業では、施工作業の後半において、複数の照明器具と通信アダプタとをペアリングする作業が行われる。
【００１３】
例えば、通信アダプタまたは照明器具が不具合を有すると、通常はその不具合が解消するまで通信アダプタと照明器具とのペアリングを行うことができない。その場合、施工作業の工期が長期化するという問題がある。
【００１４】
本実施の形態では、ペアリングの全てを中止するのでなく、不具合を有する通信アダプタまたは照明器具に対応して仮の識別情報を発行して、照明システム内で仮の設定を行い、不具合を有しない新たな通信アダプタまたは照明器具が取り付けられた時に、仮の識別情報を正規の識別情報に置き換えてペアリングを行う。この方法によれば、通信アダプタまたは照明器具が不具合を有する場合であっても、ペアリング作業の一部を進めることができ、施工作業の工期が長期化することを抑制することができる。
【００１５】
以下、実施の形態について、図面を参照しながら説明する。なお、実施の形態１および２では、通信アダプタが不具合を有する場合について説明し、実施の形態３では照明器具が不具合を有する場合について説明する。
【００１６】
以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１７】
なお、各図は、模式図であり、必ずしも厳密に図示されたものではない。また、各図において、実質的に同一の構成に対しては同一の符号を付しており、重複する説明は省略または簡略化する。
【００１８】
（実施の形態１）
［１−１．照明システムの概略構成］
図１は、実施の形態１に係る照明システム１００であって、照明システム１００が備える照明器具、照明コントローラ３０、通信アダプタおよび操作端末２０を示す概略図である。図２は、照明器具、照明コントローラ３０、通信アダプタおよび操作端末の配置の一例を示す図である。
【００１９】
照明システム１００は、複数の照明器具１０ａ、１０ｂ、１０ｃ、１０ｄ、１０ｅと、照明コントローラ３０と、照明コントローラ３０に接続されている複数の通信アダプタ４０ａ、４０ｂ、４０ｃ、４０ｄ、４０ｅと、操作端末２０とを備える。図２では５台の照明器具１０ａ〜１０ｅが示されているが、この図は一例であり、実際は建物の天井９０などに１００台以上の照明器具が設置されることがある。また、図２では５台の通信アダプタ４０ａ〜４０ｅが示されているが、この図は一例であり、実際は１台または６台以上の通信アダプタが設置されることがある。以下、複数の照明器具１０ａ〜１０ｅを総称して照明器具１０と呼ぶ場合があり、複数の通信アダプタ４０ａ〜４０ｅを総称して通信アダプタ４０と呼ぶ場合がある。
【００２０】
まず、図１および図２を参照しながら、照明システム１００を構成する複数の照明器具１０、照明コントローラ３０、複数の通信アダプタ４０および操作端末２０の通信系統について説明する。
【００２１】
照明器具１０ａ、１０ｂ、１０ｃと照明コントローラ３０とは、通信アダプタ４０ａを介して無線ｒ１１で通信可能となっている。照明器具１０ｄ、１０ｅと照明コントローラ３０とは、通信アダプタ４０ｂを介して無線ｒ１２で通信可能となっている。無線ｒ１１およびｒ１２による通信方式としては、９２０ＭＨｚ帯または２．４ＧＨｚ帯の周波数を利用した特定小電力無線、Zigbee（登録商標）、Bluetooth（登録商標）、または、WiFi（登録商標）などの方式が用いられる。なお、各照明器具１０と、各照明器具１０に対応する各通信アダプタ４０とが有線ネットワークを形成し、互いに通信可能であってもよい。
【００２２】
各照明器具１０と、操作端末２０とは、赤外線通信ｉ１により通信可能となっている。具体的には、操作端末２０は、指向性を有する無線通信の一例である赤外線通信ｉ１を用いて照明器具１０のそれぞれに信号を送信する。各照明器具１０は、操作端末２０からの赤外線信号を個別に受信することができるように、例えば、５ｍほど間隔をあけて天井９０に設置されている。例えば、照明器具１０ａの近くに操作端末２０を位置させ、照明器具１０ａに向けて赤外線信号を送ることで、対象とする照明器具１０ａのみに情報を伝達することができる。
【００２３】
各通信アダプタ４０と、操作端末２０とは、赤外線通信ｉ２により通信可能となっている。具体的には、操作端末２０は、赤外線通信ｉ２を用いて通信アダプタ４０のそれぞれに信号を送信する。各通信アダプタ４０は、操作端末２０からの赤外線信号を個別に受信することができるように、例えば、１０ｍ以上の間隔をあけて天井９０に設置されている。例えば、通信アダプタ４０ａの近くに操作端末２０を位置させ、通信アダプタ４０ａに向けて赤外線信号を送ることで、対象とする通信アダプタ４０ａのみに情報を伝達することができる。
【００２４】
照明コントローラ３０と操作端末２０とは、無線ｒ２によって通信可能となっている。無線ｒ２による通信方式としては、無線ｒ１１と同様の方式が用いられる。なお、操作端末２０と照明コントローラ３０は、ＵＳＢなどの接続端子により有線で通信できるようになっていてもよい。
【００２５】
照明システム１００では、これらの通信系統を用いて、照明器具１０と通信アダプタ４０とのペアリングが行われる。
【００２６】
［１−２．照明システムの各構成］
次に、照明システム１００を構成する複数の照明器具１０、操作端末２０、照明コントローラ３０および複数の通信アダプタ４０について説明する。なお、複数の照明器具のうち照明器具１０ａを代表例に挙げて説明する場合があり、複数の通信アダプタ４０のうち通信アダプタ４０ａを代表例に挙げて説明する場合がある。
【００２７】
図３Ａは、照明コントローラ３０および通信アダプタ４０ａの制御構成を示すブロック図である。図３Ｂは、照明器具１０ａの制御構成を示すブロック図である。図３Ｃは、操作端末２０の制御構成を示すブロック図である。図４は、操作端末２０を示す概略図である。
【００２８】
図３Ｂに示されるように、照明器具１０ａは、制御部１５と、制御部１５に接続されている記憶部１６、光源１７、通信部１１および赤外線通信部１２とを備えている。照明器具１０ａは、例えば、ＬＥＤライトである。
【００２９】
通信部１１は、例えばアンテナおよび無線モジュールなどであり、通信アダプタ４０ａを介して照明コントローラ３０と通信する。
【００３０】
光源１７は、例えば、白色光、赤色光、緑色光または青色光を発する複数の発光ダイオードを含んでいる。
【００３１】
赤外線通信部１２は、例えば、赤外線センサであり、操作端末２０から赤外線通信ｉ１で送信された情報を受信する。本実施の形態では、照明器具１０ａには、ペアリング相手である通信アダプタ４０ａの識別情報が送信される。ただし、通信アダプタ４０ａが不具合を有する場合は、正規の識別情報とは異なる仮の識別情報が送信される。
【００３２】
記憶部１６は、ＲＡＭ（Random  Access  Memory）およびＲＯＭ（read  only  memory）などによって構成されている。記憶部１６には、照明器具１０のＭＡＣアドレス（Media  Access  Control  address）またはＵＤＩＤ（Unique  Device  IDentifier）などの識別情報が保存されている。また、記憶部１６には、操作端末２０から送信された通信アダプタ４０ａの識別情報が書き込まれる。ただし、通信アダプタ４０ａが不具合を有する場合は、記憶部１６には、仮の識別情報が書き込まれる。また、ペアリング終了時には、記憶部１６に、複数の通信アダプタ４０のうちのどの通信アダプタ４０と優先的にペアリングを行うかを示すペアリングテーブルが保存される（図１７Ｂ参照）。
【００３３】
制御部１５は、ＣＰＵ（central  processing  unit）などによって構成されている。制御部１５は、光源１７を調光制御および／または調色制御する。また、制御部１５は、通信アダプタ４０ａとペアリングを行う際、記憶部１６から自身の識別情報を読み出し、通信部１１を介して、自身の識別情報を通信アダプタ４０ａに送信する。
【００３４】
図３Ａに示されるように、照明コントローラ３０は、制御部３５と、制御部３５に接続されている記憶部３６および通信部３１とを備えている。照明コントローラ３０は、各照明器具１０の点灯制御を行う管理サーバである。
【００３５】
通信部３１は、前述したように、操作端末２０と無線ｒ２で通信する。
【００３６】
記憶部３６はＲＡＭおよびＲＯＭなどによって構成されている。記憶部３６には、アドレステーブルが保存される。ペアリング終了時のアドレステーブルには、通信アダプタ４０の番号、正規の識別情報（例えばＭＡＣアドレス）および仮の識別情報などが含まれている（図１７Ａ参照）。
【００３７】
制御部３５は、ＣＰＵによって構成されている。制御部３５は、ペアリング終了時のアドレステーブルに基づいて各照明器具１０の点灯を制御する。
【００３８】
図３Ａに示されるように、通信アダプタ４０ａは、照明コントローラ３０の制御部３５に接続され、かつ、照明コントローラ３０の外部に配置されている。通信アダプタ４０ａは、制御部４５と、制御部４５に接続されている記憶部４６、通信部４１、赤外線通信部４２およびランプ４７とを備えている。
【００３９】
通信部４１は、例えばアンテナおよび無線モジュールであり、照明コントローラ３０と照明器具１０ａとを無線ｒ１１で接続する。
【００４０】
ランプ４７は、通信アダプタ４０ａが正常か否かを報知するためのパイロットランプである。例えば、通信アダプタ４０ａと照明コントローラ３０との通信が成立しなかった場合、ランプ４７が点滅する。
【００４１】
記憶部４６は、ＲＡＭおよびＲＯＭなどによって構成されている。記憶部４６には、通信アダプタ４０のＭＡＣアドレスまたはＵＤＩＤなどの識別情報が保存されている。制御部４５は、ＣＰＵなどによって構成されている。
【００４２】
赤外線通信部４２は、例えば、赤外線センサであり、操作端末２０から赤外線通信ｉ２で送信された情報または指令を受信する。通信アダプタ４０ａは、操作端末２０から、通信アダプタ４０ａの識別情報を回答するように指令を受けると、自身の識別情報を操作端末２０に送信する。
【００４３】
図３Ｃに示されるように、操作端末２０は、制御部２５と、制御部２５に接続されている記憶部２６、赤外線通信部２２、タッチパネル２３および通信部２１とを備えている。操作端末２０は、例えば、タブレット端末やスマートフォンである。本実施の形態における操作端末２０は、照明器具１０と通信アダプタ４０とのペアリングを行うための設定器として用いられる。
【００４４】
通信部２１は、アンテナおよび無線モジュールなどにより構成されている。通信部２１は、無線ｒ２を用いて照明コントローラ３０と通信可能になっている。
【００４５】
赤外線通信部２２は、例えば、赤外線ＬＥＤなどの発信器であり、赤外線通信ｉ１を用いて各照明器具１０に対応する通信アダプタ４０の識別情報を送信する。また、赤外線通信部２２は、赤外線通信ｉ２を用いて各通信アダプタ４０に、各通信アダプタ４０の識別情報を回答するように指令を出す。
【００４６】
記憶部２６は、ＲＡＭおよびＲＯＭなどにより構成されている。記憶部２６には、建物内に配置されている各照明器具１０、各通信アダプタ４０のレイアウト情報が記憶されている。また、記憶部２６にはアドレステーブルが保存される。ペアリング終了時のアドレステーブルには、通信アダプタ４０の番号、正規の識別情報および仮の識別情報などが含まれている（図１７Ａ参照）。このアドレステーブルは、照明コントローラ３０と操作端末２０とで共有される。
【００４７】
制御部２５は、ＣＰＵによって構成されている。制御部２５は、記憶部２６、赤外線通信部２２、タッチパネル２３および通信部２１の作動を制御する。
【００４８】
タッチパネル２３は、建物内における各照明器具１０および各通信アダプタ４０の配置を表示する。また、タッチパネル２３は、ペアリングを行う際に必要な操作の受け付けを行う。ユーザがタッチパネル２３を操作することで、ペアリングを行うための各種操作が入力される。
【００４９】
［１−３．照明システムのペアリング方法］
図５〜図１７Ｂを参照して、照明システム１００のペアリング方法について具体的に説明する。図５は、照明システム１００のペアリング方法を示すフローチャートである。
【００５０】
はじめに、照明システム１００の施工業者によって、照明器具１０、通信アダプタ４０および照明コントローラ３０が所定の位置に取り付けられ、配線された状態となっている。この状態において、本実施の形態におけるペアリングが行われる。
【００５１】
まず、照明システム１００において、照明コントローラ３０に予め決められた数の通信アダプタ４０が接続されているか否かを判断する（Ｓ１１）。具体的には、照明コントローラ３０と通信アダプタ４０との通信を試みることで、照明コントローラ３０に予め決められた数の通信アダプタ４０が接続されているか否かを確認する。通信アダプタ４０が接続されているか否かは、例えば、通信アダプタ４０が故障しており、実質的に通信アダプタ４０が接続されていない場合が含まれる。また、施工時に結線されていなかったり、通信アダプタ４０の数が足りなくて接続されていない場合も含まれる。
【００５２】
操作端末２０のタッチパネル２３上では、図６の（ａ）に示されるように、１台の照明コントローラ３０と５台の通信アダプタ４０の接続状態が表示される。図６の（ｂ）では、５台のうち３台の通信アダプタの接続は確認できているが、残り２台の通信アダプタ４０の接続は確認できていないことが示されている。
【００５３】
なお、ステップＳ１１において、予め決められた数の通信アダプタ４０が接続されている場合は（Ｓ１１のＹｅｓ）、通常どおり、各通信アダプタ４０と各照明器具１０とがペアリングされ（Ｓ１８）、ペアリング作業を終える。本実施の形態では、通信アダプタ４０が不具合を有しており、予め決められた数の通信アダプタ４０が接続されていないと判断され（Ｓ１１のＮｏ）、以下に示すステップに移行する。
【００５４】
まず、上記のように照明コントローラ３０に接続されておらず、不具合を有する通信アダプタ４０を特定する（Ｓ１２）。通信アダプタ４０が不具合を有すると、通信アダプタ４０のランプ４７が点滅する。施工業者は、図７に示されるように、施工現場にて不具合を有する通信アダプタ４０を目視で確認する。本実施の形態では、５台の通信アダプタ４０のうち通信アダプタ４０ａおよび４０ｄが接続されておらず、不具合を有している。以下、照明コントローラ３０に接続されていない通信アダプタ４０ａ、４０ｄを、不具合を有する通信アダプタ４０ａ、４０ｄと呼び、照明コントローラ３０に接続されている通信アダプタ４０ｂ、４０ｃ、４０ｅを正常な通信アダプタ４０ｂ、４０ｃ、４０ｅと呼んで説明する。
【００５５】
タッチパネル２３上では、図８の（ａ）に示されるように、不具合を有する通信アダプタ４０がタッチパネル２３にてタッチされることで選択される。本実施の形態では、通信アダプタ４０ａ、４０ｄに対応する番号１、４が選択される。すると、図８の（ｂ）に示されるように、選択された番号が反転表示され、不具合を有する通信アダプタ４０ａ、４０ｄが特定される。
【００５６】
次に、不具合を有する通信アダプタ４０ａ、４０ｄの仮の識別情報を生成する（Ｓ１３）。上記のように通信アダプタ４０ａ、４０ｄが不具合を有する場合は、照明システム１００としては、通信アダプタ４０ａ、４０ｄの識別情報が不明である。そこで、不具合を有する通信アダプタ４０ａ、４０ｄに対応する仮の識別情報を生成する。仮の識別情報とは、例えば、不具合を有する通信アダプタ４０ａ、４０ｄについて、ペアリングを行うために一時的に設定する仮のアドレスである。
【００５７】
タッチパネル２３上では、図８の（ｂ）に示されるように、不具合を有する通信アダプタ４０ａ、４０ｄに対応する仮のアドレスを発行して、ペアリング作業を続行するか否かが表示される。タッチパネル２３の「仮のアドレス発行」キーが押下されると、不具合を有する通信アダプタ４０ａ、４０ｄに対応する仮の識別情報が生成される。仮の識別番号は、例えば、「１１−１１−１１−１１−１１−１１」という同じ数字からなる（図１１参照）。仮の識別情報は、照明コントローラ３０にて生成され、記憶部３６に記憶される。生成された仮の識別情報は、操作端末２０と照明コントローラ３０とが相互通信することで、操作端末２０の記憶部２６に記憶される。なお、仮の識別情報は、操作端末２０にて生成されてもよい。操作端末２０に記憶された仮の識別情報は、タッチパネル２３に表示可能である。
【００５８】
次に、正常な通信アダプタ４０ｂ、４０ｃ、４０ｅの識別情報を取得する（Ｓ１４）。取得する識別情報は、例えば、通信アダプタ４０ｂ、４０ｃ、４０ｅのＭＡＣアドレスである。識別情報の取得は、図９に示されるように、操作端末２０から各通信アダプタ４０ｂ、４０ｃ、４０ｅに送る赤外線信号をきっかけとして実行される。例えば、操作端末２０から通信アダプタ４０ｂに対して、通信アダプタ４０ｂの識別情報を回答させるための指令が送られ、その指令を受けた通信アダプタ４０ｂは、自身の識別情報を操作端末２０に送信する。送信ルートとしては、例えば、照明コントローラ３０を介して操作端末２０に識別情報が送信されてもよいし、通信アダプタ４０ｂと操作端末２０とで共有する無線通信が確立されていれば、その無線通信を用いて上記識別情報が送信されてもよい。
【００５９】
タッチパネル２３上では、図１０の（ａ）に示されるように、操作端末２０を通信アダプタ４０ｂの方に向けて、送信ボタンを押す指示が表示される。例えば、通信対象である通信アダプタ４０ｂが、四角の太枠で囲まれて表示される。タッチパネル２３の「送信」キーが押下されると、上記の赤外線信号が送信される。操作端末２０が通信アダプタ４０ｂの識別情報を取得すると、タッチパネル２３上では、図１０の（ｂ）に示されるように、識別情報を問題なく取得したことが表示される。例えば、設定完了した通信アダプタ４０ｂが、丸の太枠で囲まれて表示される。取得した識別情報は、記憶部２６に記憶され、タッチパネル２３に表示可能である。この識別情報の取得、記憶および表示は、通信アダプタ４０ｃ、４０ｅについても同様に行われる。
【００６０】
次に、取得した識別情報および生成した仮の識別情報を操作端末２０に記憶する（Ｓ１５）。すでに、ステップＳ１３において不具合を有する通信アダプタ４０ａ、４０ｄに対応する仮の識別情報が生成され、また、ステップＳ１４において正常な通信アダプタ４０ｂ、４０ｃ、４０ｅの識別情報が取得されているので、図１１に示されるようなアドレステーブルが作成される。このアドレステーブルは、ステップＳ１３およびステップＳ１４が実行されることで、照明コントローラ３０および操作端末２０の両方に保存される。操作端末２０に保存されたアドレステーブルは、タッチパネル２３に表示可能である。なお、不具合を有する通信アダプタ４０ａ、４０ｄに対応する識別情報は、仮アドレスの状態となっている。
【００６１】
次に、操作端末２０を用いて各照明器具１０に、取得した識別情報または生成した仮の識別情報を記憶する（Ｓ１６）。例えば、正常な通信アダプタ４０ｂに対応する照明器具１０ｄ、１０ｅには、ステップＳ１４にて取得した正規の識別情報が記憶される。不具合を有する通信アダプタ４０ａに対応する照明器具１０ａ、１０ｂ、１０ｃには、ステップＳ１３にて生成された仮の識別情報が記憶される。
【００６２】
具体的には、図１２に示されるように、操作端末２０を各照明器具１０に向け、赤外線通信ｉ１で、それぞれに対応する識別情報を送信する。これにより、各照明器具１０に対応する識別情報を記憶する。タッチパネル２３上では、図１３の（ａ）に示されるように、操作端末２０を各照明器具１０の方に向けて送信ボタンを押す指示が表示される。例えば、通信対象である番号１の照明器具１０（図１３の（ａ）参照）が、四角の太枠で囲まれて表示される。タッチパネル２３の「送信」キーが押下されると、操作端末２０から照明器具１０に対して赤外線信号が送られ、各照明器具１０に対応する識別情報が書き込まれる。
【００６３】
次に、正常な通信アダプタ４０と、それに対応する照明器具１０とをペアリングする（Ｓ１７）。本実施の形態では、不具合を有する通信アダプタ４０ａよりも先に、正常な通信アダプタ４０ｂと各照明器具１０ｄ、１０ｅとをペアリングする。タッチパネル２３上では、図１３の（ｂ）に示されるように、ペアリングが正常に設定できたことが表示される。例えば、設定完了した番号１の照明器具１０が、丸の太枠で囲まれて表示される。通信アダプタ４０ｂとのペアリングが成立した照明器具１０ｄ、１０ｅは、明るさが低下する。明るさが低下することで、ユーザが、通信アダプタ４０ｂと照明器具１０ｄ、１０ｅとでペアリングが成立していることを視認することができる。
【００６４】
なお、実際のペアリングは終了していないが、照明器具１０ａの記憶部１６には、図１４に示されるように、通信アダプタ４０のペアリング優先順位が記憶される。この時点で、照明器具１０ａのペアリング先は、通信アダプタ４０ａに対応する仮の識別情報が第１優先として記載されている。
【００６５】
これらのステップＳ１１〜Ｓ１７によって、正常な通信アダプタ４０と照明器具１０とのペアリングを一旦終える。
【００６６】
次に、不具合を有する通信アダプタ４０とは異なる新たな通信アダプタ４０を入荷し、新たな通信アダプタ４０に交換する（Ｓ２１）。具体的には、図１５に示されるように、不具合を有する通信アダプタ４０ａ、４０ｄの代わりに、それぞれに対応させて新たな通信アダプタ４０ａ、４０ｄを設置する。新たな通信アダプタ４０ａ、４０ｄは、不具合を有していない。
【００６７】
次に、交換した新たな通信アダプタ４０ａ、４０ｄの識別情報を取得する（Ｓ２２）。新たな通信アダプタ４０ａ、４０ｄを照明コントローラ３０に接続することによって、照明コントローラ３０は、新たな通信アダプタ４０ａ、４０ｄを認識し、各通信アダプタ４０ａ、４０ｄから正規の識別情報を取得する。取得した正規の識別情報は、タッチパネル２３に表示可能である。
【００６８】
次に、新たな通信アダプタ４０の識別情報と仮の識別情報とを関連付けた状態で照明器具１０に入力する（Ｓ２３）。例えば、ステップＳ２２で取得した新たな通信アダプタ４０ａの識別情報と、ステップＳ１３で生成した仮の識別情報とを関連付けた状態で照明器具１０ａに入力する。この入力によって、照明器具１０ａに記憶されていた仮の識別情報は、新たな通信アダプタ４０ａが有する正規の識別情報に書き換えられる。これらの識別情報の書き換えは、例えば、照明コントローラ３０から新たな通信アダプタ４０ａを介して、照明器具１０ａ、１０ｂ、１０ｃに対して同時に書き換えられる。新たな通信アダプタ４０の識別情報と仮の識別情報とが関連付けられた状態で照明器具１０に入力されるので、このような同時の書き換えが可能となっている。
【００６９】
タッチパネル２３上では、図１６に示されるように、照明コントローラ３０にて新しい通信アダプタ４０が認識されることで、通信アダプタ４０のアドレスを更新するか否かが表示される。タッチパネル２３の「アドレス更新」キーが押下されると、上記に示すように仮の識別情報が正規の識別情報に書き換えられる。
【００７０】
次に、新たな通信アダプタ４０と照明器具１０とをペアリングする（Ｓ２４）。本実施の形態では、新たな通信アダプタ４０ａと各照明器具１０ａ、１０ｂ、１０ｃとをそれぞれペアリングする。通信アダプタ４０ａとのペアリングが成立した照明器具１０ａ、１０ｂ、１０ｃは、明るさが低下する。明るさが低下することで、ユーザが、通信アダプタ４０ａと照明器具１０ａ、１０ｂ、１０ｃとでペアリングが成立していることを視認することができる。
【００７１】
操作端末２０および照明コントローラ３０には、図１７Ａに示されるアドレステーブルが記憶される。例えば、通信アダプタ４０ａについては、仮の識別情報と正規の識別情報とが関連付けられた状態で、仮の識別情報が正規の識別情報に書き換えられる。
【００７２】
また、照明器具１０ａの記憶部１６には、図１７Ｂに示されるペアリングテーブルが記憶される。例えば、ペアリング優先順位の中に記入されていた仮の識別情報が正規の識別情報に書き換えられる。
【００７３】
ペアリング終了後のアドレステーブルおよびペアリングテーブルは、タッチパネル２３に表示可能である。
【００７４】
以上のステップにより、照明器具１０と通信アダプタ４０とのペアリングが全て終了する。本実施の形態では、通信アダプタ４０が不具合を有する場合であっても、ペアリング作業の一部を進めることができ、施工作業の工期が長期化することを抑制することができる。
【００７５】
［１−４．効果等］
本実施の形態に係る照明システム１００のペアリング方法は、複数の照明器具１０と、複数の照明器具１０と通信する１以上の通信アダプタ４０と、通信アダプタ４０を介して複数の照明器具１０の点灯を制御する照明コントローラ３０と、複数の照明器具１０および照明コントローラ３０と通信する操作端末２０とを備える照明システム１００において、照明器具１０と通信アダプタ４０とのペアリングを行う、照明システム１００のペアリング方法であって、照明コントローラ３０に予め決められた数の通信アダプタ４０が接続されておらず、接続されていない通信アダプタ４０の識別情報が不明である場合に、操作端末２０に、当該識別情報の代わりに仮の識別情報を記憶する工程と、仮の識別情報が記憶された操作端末２０を用いて、接続されていない通信アダプタ４０に対応する照明器具１０に、仮の識別情報を記憶する工程と、照明器具１０に仮の識別情報が記憶された後、照明コントローラ３０に、接続されていない通信アダプタ４０と異なる新たな通信アダプタ４０が接続された場合に、新たな通信アダプタ４０の識別情報を取得する工程と、新たな通信アダプタ４０の識別情報と仮の識別情報とを関連付けた状態で照明器具１０に入力し、当該照明器具１０と新たな通信アダプタ４０とをペアリングする工程とを含む。
【００７６】
これによれば、通信アダプタ４０が不具合を有する場合であっても、ペアリング作業の一部を進めることができ、施工作業の工期が長期化することを抑制することができる。
【００７７】
また、操作端末２０に仮の識別情報を記憶する工程の前に、照明コントローラ３０と通信アダプタ４０との通信を試みることで、照明コントローラ３０に予め決められた数の通信アダプタ４０が接続されているか否かを確認する確認工程を含んでいてもよい。
【００７８】
このように、照明コントローラ３０と通信アダプタ４０との通信を試みることで、照明コントローラ３０に通信アダプタ４０が接続されているか否かを容易に確認することができる。
【００７９】
また、確認工程と、操作端末２０に仮の識別情報を記憶する工程との間に、仮の識別情報を照明コントローラ３０または操作端末２０にて生成する工程を含んでいてもよい。
【００８０】
このように、仮の識別情報を生成することで、通信アダプタ４０が不具合を有する場合であっても、ペアリング作業の一部を進めることができ、施工作業の工期が長期化することを抑制することができる。
【００８１】
また、操作端末２０に仮の識別情報を記憶する工程において、記憶した仮の識別情報を操作端末２０のタッチパネル２３に表示し、新たな通信アダプタ４０の識別情報を取得する工程において、仮の識別情報に代えてまたは仮の識別情報に対応させて、取得した識別情報をタッチパネル２３に表示してもよい。
【００８２】
これによれば、ユーザが、仮の識別情報が付与されている通信アダプタ４０を目で確認し、また、正規の識別情報が付与されている新たな通信アダプタ４０を目で確認することができるので、ペアリングの作業性を向上することができる。
【００８３】
また、操作端末２０に仮の識別情報を記憶する工程において、接続されていない通信アダプタ４０が複数ある場合に、複数の通信アダプタ４０のそれぞれに対応して、複数の異なる仮の識別情報を操作端末２０に記憶してもよい。
【００８４】
このように、複数の仮の識別情報を生成することで、複数の通信アダプタ４０が不具合を有する場合であっても、ペアリング作業の一部を進めることができ、施工作業の工期が長期化することを抑制することができる。
【００８５】
本実施の形態に係る照明コントローラ３０は、通信アダプタ４０を介して複数の照明器具１０の点灯を制御する照明コントローラ３０であって、通信アダプタ４０が不具合を有する場合に、不具合を有する通信アダプタ４０に対応する仮の識別情報を記憶し、不具合を有する通信アダプタ４０が、不具合を有する通信アダプタ４０と異なる新たな通信アダプタ４０に取り替えられた場合に、新たな通信アダプタ４０から識別情報を取得し、記憶している仮の識別情報を、新たな通信アダプタ４０の識別情報に置き換える。
【００８６】
この照明コントローラ３０によれば、通信アダプタ４０が不具合を有する場合であっても、ペアリング作業の一部を進めることができ、施工作業の工期が長期化することを抑制することができる。
【００８７】
（実施の形態２）
実施の形態２は、通信アダプタ４０などの機材の不具合でなく、施工業者が初期対応事項によって問題を解決する形態である。図１８は、実施の形態２において不具合時の初期対応事項を示す図である。
【００８８】
まず、実施の形態１と同様に、照明コントローラ３０に予め決められた数の通信アダプタ４０が接続されているか否かを判断する（Ｓ１１）。具体的には、照明コントローラ３０と通信アダプタ４０との通信を試みることで、照明コントローラ３０に予め決められた数の通信アダプタ４０が接続されているか否かを確認する。
【００８９】
そして、予め決められた数の通信アダプタ４０が接続されていないと判断された場合に（Ｓ１１のＮｏ）、以下に示すステップが実行される。
【００９０】
操作端末２０のタッチパネル２３では、図１８の（ａ）に示されるように、異常モードを特定するための画面が表示される。異常モードとしては、「未施工」、「ランプ不点灯」、「ランプ赤点灯」の３つのモードが表示される。この中から、通信アダプタ４０の現在の状態が選択されると、図１８の（ｂ）〜（ｄ）に示されるように、それぞれの初期対応事項が表示される。
【００９１】
「未施工」状態への対処としては、図１８の（ｂ）に示されるように、通信アダプタ４０の施工を行うことを指示する画面が表示される。「ランプ不点灯」状態への対処としては、図１８の（ｃ）に示されるように、電源線が正しく施工されているか確認することを指示する画面が表示される。「ランプ赤点灯」状態への対処としては、図１８の（ｄ）に示されるように、電源線、通信線が正しく施工されているか確認することを指示する画面が表示される。そして、施工業者にてこれらの問題が解決されると、タッチパネル２３上にて初期対応事項が対応済みであることが入力され、初期対応事項が終了する。
【００９２】
実施の形態２では、照明コントローラ３０に予め決められた数の通信アダプタ４０が接続されているか否かを確認する確認工程において、照明コントローラ３０と通信アダプタ４０との通信が成立しない場合に、通信アダプタ４０を照明コントローラ３０に接続するための初期対応事項を操作端末２０のタッチパネル２３に表示し、操作端末２０に初期対応事項が対応済みであることが入力された場合に、上記確認工程を終了する。
【００９３】
これによれば、施工業者で解決可能な不具合であることを、施工業者が知り、自身で解決することができる。そのため、施工作業の工期が長期化することを抑制することができる。
【００９４】
（実施の形態３）
実施の形態３は、照明器具１０が不具合を有する場合に、照明システム１００においてペアリングを行う形態である。本実施の形態では、複数の照明器具１０のうち、照明器具１０ｅが不具合を有する照明器具であるとして説明する。
【００９５】
図１９は、実施の形態３における照明システム１００のペアリング方法を示すフローチャートである。なお、図１９では、不具合を有する照明器具１０ｅに関係するステップが示されている。
【００９６】
まず、不具合を有する照明器具１０の仮の識別情報を生成する（Ｓ３１）。上記のように照明器具１０ｅが不具合を有する場合は、照明システム１００としては、照明器具１０の識別情報が不明である。そこで、不具合を有する照明器具１０ｅに対応する仮の識別情報を生成する。仮の識別情報とは、例えば、不具合を有する照明器具１０について、ペアリングを行うために一時的に設定する仮のアドレスである。
【００９７】
タッチパネル２３上では、図２０に示されるように、不具合を有する照明器具１０ｅに対応する仮のアドレスを発行するか否かが表示される。タッチパネル２３の「仮のアドレス発行」キーが押下されると、照明器具１０ｅに対応する仮の識別情報が生成される。仮の識別番号は、例えば、「５５−５５−５５−５５−５５−５５」という同じ数字からなる（図２１の（ａ）参照）。仮の識別情報は、照明コントローラ３０にて生成され、記憶部３６に記憶される。生成された仮の識別情報は、操作端末２０と照明コントローラ３０とが相互通信することで、操作端末２０の記憶部２６に記憶される。なお、仮の識別情報は、操作端末２０にて生成されてもよい。
【００９８】
次に、不具合を有する照明器具１０に対応する通信アダプタ４０に、仮の識別情報を記憶する（Ｓ３２）。具体的には、操作端末２０を用いて、不具合を有する照明器具１０ｅに対応する通信アダプタ４０ｂに、ステップＳ３１にて生成された仮の識別情報を記憶する。
【００９９】
例えば、操作端末２０を通信アダプタ４０ｂに向け、赤外線通信ｉ２で仮の識別情報を送信することで、通信アダプタ４０ｂに仮の識別情報を記憶する。
【０１００】
次に、不具合を有する照明器具１０と異なる新たな照明器具１０を入荷し、新たな照明器具１０に交換する。そして、交換した新たな照明器具１０の識別情報を取得する（Ｓ３３）。新たな照明器具１０ｅを通信アダプタ４０ａを介して照明コントローラ３０に接続することによって、照明コントローラ３０は、新たな照明器具１０ｅを認識し、照明器具１０ｅから正規の識別情報を取得する。
【０１０１】
次に、新たな照明器具１０の識別情報と仮の識別情報とを関連付けた状態で通信アダプタ４０に入力する（Ｓ３４）。例えば、ステップＳ３３で取得した新たな照明器具１０ｅの識別情報と、ステップＳ３１で生成した仮の識別情報とを関連付けた状態で通信アダプタ４０ｂに入力する。この入力によって、通信アダプタ４０ｂに記憶されていた仮の識別情報は、新たな照明器具１０ｅが有する正規の識別情報に書き換えられる。これらの識別情報の書き換えは、例えば、以下に示すいずれかの方法にて行われる。
【０１０２】
１つめの方法としては、まず、操作端末２０と照明器具１０とが赤外線通信ｉ１することで、操作端末２０が、照明器具１０の識別情報を取得し、取得した識別情報を照明コントローラ３０へ送信する。そして、この識別情報を、照明コントローラ３０が通信アダプタ４０に送信する。２つめの方法としては、操作端末２０と照明器具１０とが赤外線通信ｉ１することで、操作端末２０から照明器具１０にペアリング先の通信アダプタ４０の識別情報を通知する。次に、照明器具１０が通信アダプタ４０に対して識別情報の書き換え指示を行い、通信アダプタ４０が自身の識別情報を書き換える。そして、通信アダプタ４０が照明コントローラ３０に対して識別情報の書き換え終了を通知する。
【０１０３】
なお、上記では、１台の照明器具１０ｅに対応する通信アダプタ４０ｂにおいて識別情報を書き換える例について説明したが、不具合を有する照明器具１０が複数台ある場合は、複数台の照明器具１０に対応する通信アダプタ４０において、識別情報が同時に書き換えられる。新たな照明器具１０の識別情報と仮の識別情報とが関連付けられた状態で通信アダプタ４０に入力されるので、このような同時の書き換えが可能である。
【０１０４】
次に、新たな照明器具１０と通信アダプタ４０とをペアリングする（Ｓ３５）。本実施の形態では、新たな照明器具１０ｅと通信アダプタ４０ｂとをペアリングする。通信アダプタ４０ｂとのペアリングが成立した照明器具１０ｅは、明るさが低下する。
【０１０５】
操作端末２０および照明コントローラ３０には、図２１の（ｂ）に示される照明器具１０のアドレステーブルが記憶される。例えば、照明器具１０ｅについては、仮の識別情報が、新たな照明器具１０ｅの識別情報に書き換えられている。
【０１０６】
以上のステップにより、不具合を有する照明器具１０と通信アダプタ４０とのペアリングが終了する。本実施の形態では、照明器具１０が不具合を有する場合であっても、ペアリング作業の一部を進めることができ、施工作業の工期が長期化することを抑制することができる。
【０１０７】
実施の形態３に係る照明システム１００のペアリング方法は、複数の照明器具１０と、複数の照明器具１０と通信する１以上の通信アダプタ４０と、通信アダプタ４０を介して複数の照明器具１０の点灯を制御する照明コントローラ３０と、複数の照明器具１０および照明コントローラ３０と通信する操作端末２０とを備える照明システム１００において、照明器具１０と通信アダプタ４０とのペアリングを行う、照明システム１００のペアリング方法であって、照明器具１０が不具合を有し照明器具１０の識別情報が不明である場合に、操作端末２０に、上記識別情報の代わりに仮の識別情報を記憶する工程と、不具合を有する照明器具１０に対応する通信アダプタ４０に、仮の識別情報を記憶する工程と、通信アダプタ４０に仮の識別情報が記憶された後、不具合を有する照明器具１０に代えて新たな照明器具１０が取り付けられた場合に、新たな照明器具１０の識別情報を取得する工程と、新たな照明器具１０の識別情報と仮の識別情報とを関連付けた状態で通信アダプタ４０に入力し、新たな照明器具１０と通信アダプタ４０とをペアリングする工程とを含む。
【０１０８】
これによれば、照明器具１０が不具合を有する場合であっても、ペアリング作業の一部を進めることができ、施工作業の工期が長期化することを抑制することができる。
【０１０９】
実施の形態３に係る照明コントローラ３０は、通信アダプタ４０を介して複数の照明器具１０の点灯を制御する照明コントローラ３０であって、照明器具１０が不具合を有する場合に、不具合を有する照明器具１０に対応する仮の識別情報を記憶し、不具合を有する照明器具１０が、不具合を有する照明器具１０と異なる新たな照明器具１０に取り替えられた場合に、新たな照明器具１０から識別情報を取得し、記憶している仮の識別情報を、新たな照明器具１０の識別情報に置き換える。
【０１１０】
この照明コントローラ３０によれば、照明器具１０が不具合を有する場合であっても、ペアリング作業の一部を進めることができ、施工作業の工期が長期化することを抑制することができる。
【０１１１】
（その他の形態）
以上、照明システム１００のペアリング方法等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１１２】
例えば、実施の形態１では、不具合を有する通信アダプタ４０として２台の通信アダプタ４０を例示したが、不具合を有する通信アダプタ４０は１台であってもよい。また、不具合を有する通信アダプタ４０は全台であってもよい。すなわち、本実施の形態は、仮の識別情報を用いてペアリング作業の一部を進め、新たな通信アダプタ４０を接続した場合に、仮の識別情報と新たな通信アダプタ４０の識別情報とを関連付けた状態で、照明器具１０に入力するような態様であればよい。
【０１１３】
また、実施の形態１では、操作端末２０から赤外線通信ｉ１、ｉ２を発信している例を示したが、それに限られない。例えば、赤外線通信ｉ１、ｉ２の代わりに、レーザ光またはＮＦＣ（Near  Field  Communication）など１対１で対応をとることが可能な無線を用いて、照明器具１０または通信アダプタ４０に対して個別に信号を送信してもよい。
【符号の説明】
【０１１４】
１０、１０ａ、１０ｂ、１０ｃ、１０ｄ、１０ｅ  照明器具
２０    操作端末
２３    タッチパネル
３０    照明コントローラ
４０、４０ａ、４０ｂ、４０ｃ、４０ｄ、４０ｅ  通信アダプタ
１００  照明システム
【図１】
2018191043.tif 000003
【図２】
2018191043.tif 000004
【図３Ａ】
2018191043.tif 000005
【図３Ｂ】
2018191043.tif 000006
【図３Ｃ】
2018191043.tif 000007
【図４】
2018191043.tif 000008
【図５】
2018191043.tif 000009
【図６】
2018191043.tif 000010
【図７】
2018191043.tif 000011
【図８】
2018191043.tif 000012
【図９】
2018191043.tif 000013
【図１０】
2018191043.tif 000014
【図１１】
2018191043.tif 000015
【図１２】
2018191043.tif 000016
【図１３】
2018191043.tif 000017
【図１４】
2018191043.tif 000018
【図１５】
2018191043.tif 000019
【図１６】
2018191043.tif 000020
【図１７Ａ】
2018191043.tif 000021
【図１７Ｂ】
2018191043.tif 000022
【図１８】
2018191043.tif 000023
【図１９】
2018191043.tif 000024
【図２０】
2018191043.tif 000025
【図２１】
2018191043.tif 000026